(57)【特許請求の範囲】
【請求項１】
糸巻きケース（２０）内に回転自在に収容されたリール（３０）がその内周に組み込まれた渦巻きばね（３３）により糸巻き取り方向に付勢され、前記リール（３０）のリール本体（３１）に巻かれた墨打ち糸（１）が前記糸巻きケース（２０）から延びる本体ケース（１０）内の墨汁浸透部材（１２）を通って外部へ導出された墨壷において、
前記糸巻きケース（２０）の外側面にブレーキ片（３）が前記リール（３０）の軸心とほぼ平行な軸（２６）の周りに回転自在に取り付けられ、
このブレーキ片（３）の外周カム面（３ｃ）は、前記糸巻きケース（２０）から露出した前記リール（３０）の一側外周面（３４ａ）と接触可能であって前記軸（２６）からの径方向距離がこの軸（２６）を中心とする円周方向一側から他側へ向けて漸増するよう形成され、リール（３０）の巻き取り方向の回転に対して、前記外周カム面（３ｃ）を前記一側外周面（３４ａ）に接触させた時に、前記外周カム面（３ｃ）の接触点（Ｐ）が前記円周方向一側から他側へ向けて移動する方向へ摩擦トルクを受けるものであることを特徴とする墨壷のリールロック機構。
【請求項２】
ブレーキ片（３）が糸巻きケース（２０）の外側面における本体ケース（１０）近傍に取り付けられ、リール（３０）の一側外周面（３４ａ）から離間する方向への前記ブレーキ片（３）の回転が一定角度に規制されていることを特徴とする請求項１に記載の墨壷のリールロック機構。
【発明の詳細な説明】
【０００１】
【発明の属する技術分野】
本発明は、木工あるいは建築における墨打ち作業に使用される墨壷において、リールの回転を拘束するためのリールロック機構に関する。
【０００２】
【従来の技術】
建築作業者等が使用する墨壷の典型的な従来例は、例えば図５に示すように、基本的には糸巻きケース１０１内で渦巻きばね（図示省略）により糸巻き取り方向に付勢されたリール１０３の外周墨打ち糸１０４が巻かれ、この墨打ち糸１０４は、本体ケース１０２に収容された墨汁浸透部材１０５内を通って本体ケース１０２の糸繰り出し口１０２ａから外部へ繰り出されるようになっている。糸繰り出し口１０２ａから繰り出される墨打ち糸１０４の先端には、木材等の墨打ち対象面Ａに止着するためのかるこ１０６が取り付けられている。
【０００３】
上記墨壷を用いた墨打ち作業は、まず、かるこ１０６を、その刺通針１０６ａを墨打ち対象面Ａに突き刺すことによって墨打ちの起点に止着してから、本体ケース１０２を所定位置まで移動させることによって、糸巻きケース１０１内のリール１０３に巻かれた墨打ち糸１０４を本体ケース１０２の移動距離分だけ繰り出し、その繰り出し過程で、本体ケース１０２内の墨汁浸透部材１０５に保持された墨汁を墨打ち糸１０４に付着させ、前記かるこ１０６と本体ケース１０２の間に張設されたこの墨打ち糸１０４を、墨打ち対象面Ａに向けて指ではじいて打ち付けることによって、墨線を転写するといった手順で行われる。また、墨打ち作業終了後は、墨打ち糸１０４を強引に引っ張るなどして、かるこ１０６を墨打ち対象面Ａから引き抜けば、墨打ち糸１０４の繰り出しの際に蓄勢された渦巻きばねの付勢力によってリール１０３が巻き取り方向に回転し、これによって墨打ち糸１０４は、かるこ１０６が本体ケース１０２の糸繰り出し孔に係止された状態となるまでリール１０３に自動的に巻き取られる。
【０００４】
かるこ１０６は、その刺通針１０６ａが繰り返し使用によって曲がったりした場合は交換するが、その交換に際しては、かるこ１０６が取り外されたた墨打ち糸１０４の端部がリール１０３によって糸巻きケース１０１内まで繰り込まれてしまうことのないように、渦巻きばねによるリール１０３の巻き取り方向の回転を拘束する必要がある。また、この墨壷を下げ振りとして用いるような場合にも、墨打ち糸１０４を適当な長さに引き出した状態でリール１０３の回転を拘束する必要がある。そしてこのような目的のためのリール１０３のロック機構としては、例えば実開平６−７３２５２号公報に開示されたようなものがある。
【０００５】
【発明が解決しようとする課題】
しかしながら、従来公知の墨壷におけるリールロック機構（墨糸停止機構）は、糸巻きケース１０１に相当する部分にリールを保持するケースカバーを回動させることによって、リールを軸方向に押し付けてその回動を拘束させるものであるため、その操作を例えば片手で簡易迅速に行うといったことは不可能である。しかも、ケースカバーを回動させることによってリールを軸方向に押し付けるのにも、ある程度の腕力を要するものであった。
【０００６】
本発明は、上記のような事情のもとになされたもので、その技術的課題とするところは、かるこの交換等の際にリールの回転を拘束するための操作を一層容易することにある。
【０００７】
【課題を解決するための手段】
上述の技術的課題を有効に解決するための手段として、本発明に係る墨壷のリールロック機構は、糸巻きケースの外側面にブレーキ片がリールの軸心とほぼ平行な軸の周りに回転自在に取り付けられ、このブレーキ片の外周カム面は、前記糸巻きケースから露出した前記リールの一側外周面と接触可能であって前記軸からの距離がこの軸を中心とする円周方向一側から他側へ向けて漸増するように形成され、リールの巻き取り方向の回転に対して、前記外周カム面を前記一側外周面に接触させた時に、前記外周カム面の接触点が前記円周方向一側から他側へ向けて移動する方向へ摩擦トルクを受けるものである。すなわち、このリールロック機構によれば、ブレーキ片を適宜回転させて、その外周カム面をリールの一側外周面に接触させることによって、このリールの糸巻き取り方向の回転を拘束させることができる。すなわちリールの糸巻き取り方向の回転に対しては、その一側外周面に接触させたブレーキ片が、外周カム面の接触位置を小径側から大径側へ移動させる方向に摩擦トルクを受けるので、これに伴ってリールの一側外周面に対するブレーキ片の圧接力が自動的に増大し、確実にリールの回転が停止される。
【０００８】
本発明において一層好ましくは、ブレーキ片が糸巻きケースの外側面における本体ケース近傍に取り付けられ、リールの一側外周面から離間する方向への前記ブレーキ片の回転が一定角度に規制される。このようにすれば、リールの回転拘束又は拘束解除のためのブレーキ片の回転操作を、当該墨壷を持つ片方の手だけで行うことができ、極めて使い勝手が良い。
【０００９】
【発明の実施の形態】
図１は本発明の好ましい一実施形態を墨壷全体と共に示す平面図、図２は図１のII−II’線に沿って切断した断面図で、これらの図において、参照符号１０は本体ケース、２０は糸巻きケース、３０はこの糸巻きケース２０に回転自在に収容されたリールである。本体ケース１０の一端には円筒状の外側継手部１１が突設され、糸巻きケース２０の外周部における円周方向一部には前記外側継手部１１の内周に挿入可能な円筒状の内側継手部２１が突設され、本体ケース１０と糸巻きケース２０は、外側継手部１１に内側継手部２１を差し込んで所定方向に互いに回転させることにより、互いに着脱自在かつ前記継手部１１，２１の軸心の周りに回動可能な状態に連結されている。
【００１０】
本体ケース１０内には、墨汁浸透部材としてのスポンジ１２が充填された墨室１０Ｓが形成されており、この墨室１０Ｓは、前記スポンジ１２に墨汁を補充するために、前記本体ケース１０における通常上側となる部分に着脱自在に嵌着されたカバー１３によって開閉することができるようになっている。本体ケース１０における糸巻きケース２０側の端部内周には墨室１０Ｓ内へ向けて突出した糸挿通管１４が設けられており、糸巻きケース２０と反対側の端部には墨室１０Ｓ内へ向けて突出した漏斗状の糸繰り出し口１５が設けられている。
【００１１】
糸巻きケース２０内のリール３０はリール本体３１を有し、このリール本体３１に巻かれた墨打ち糸１は、糸挿通管１４及び墨室１０Ｓ内を通って墨汁を染み込ませたスポンジ１２に接触され、糸繰り出し口１５から本体ケース１０の外部へ導出される。また、カバー１３には糸押さえレバー１６が軸１７を介して回転自在に取り付けられており、このレバー１６は、外端部１６ａを手指で押すと、図２に破線で示すように軸１７を中心に回転して内端部１６ｂが墨室１０Ｓ内を通る墨打ち糸１と墨汁の浸透したスポンジ１２とを強制的に押し付け、墨打ち糸１に墨汁を十分に付着させるものである。なお、図２における参照符号１３ａはカバー１３に設けられた墨汁漏れ防止用のパッキンである。
【００１２】
糸繰り出し口１５から本体ケース１０の外部へ導出された墨打ち糸１の繰り出し端部には、墨打ちの相手材に突き刺して墨打ち糸１を止着するためのかるこ２が繋着されている。このかるこ２は、墨打ち糸１を完全にリール３０に巻き取った状態において、図２に二点鎖線で示すように、糸繰り出し口１５に半収容状態に係合される。
【００１３】
糸巻きケース２０及びこれと一体の内側継手部２１は上下に二つ割りされており、すなわち上半ケース部材２０Ａと下半ケース部材２０Ｂからなる。この上半ケース部材２０Ａと下半ケース部材２０Ｂは、内側継手部２１に対する円周方向１８０°対称位置にそれぞれ突設された掛合突起２２，２３を互いに掛合すると共に、上下に分割された前記内側継手部２１をその大径の基部２４にゴムからなるＯリング２５を嵌め込んで結束することによって、糸巻きケース２０としての形状に組み立てられている。
【００１４】
リール３０は、そのリール本体３１の内周に略同心的かつ相対回転可能な状態に組み込まれたばね芯３２と、一端がリール本体３１に固定されると共に他端がばね芯３２に固定されてリール本体３１を墨打ち糸１の巻き取り方向に付勢する渦巻きばね３３とを備えている。リール本体３１は、墨打ち糸１を手動回転によって巻き取るために軸方向一側の内周部に形成された巻き取りハンドル３４が、上半ケース部材２０Ａの内周部に形成された円形窓から外部へ露出しており、また、この巻き取りハンドル３４と反対側を向いたばね芯３２の端部にはチャージハンドル３５が形成され、下半ケース部材２０Ｂの内周部に形成された円形窓から外部に露出している。
【００１５】
チャージハンドル３５の挿入部外周面にはラチェット歯車（図示省略）が形成されており、その外周に配置された環状のラチェット部材３６のラチェット爪（図示省略）と掛合されることによって、ばね芯３２（チャージハンドル３５）はラチェット部材３６に対して渦巻きばね３３の蓄勢方向にのみ回転することができるようになっている。また、ラチェット部材３６の円周方向一箇所に形成された衝合突起３６ａは、環状のクラッチ部材３７の円周方向１８０°対称位置に突設された被衝合突起３７ａ，３７ｂのうちのいずれかと衝合されるようになっている。クラッチ部材３７はコイルスプリング３８で一方向へ押圧されており、このため通常は、ラチェット部材３６はその衝合突起３６ａがクラッチ部材３７の一方の被衝合突起３７ａと衝合することによって回り止めされている。
【００１６】
したがって、リール本体３１が墨打ち糸１の繰り出し方向（図１における反時計回りの方向）へ回転された場合は、チャージハンドル３５の外周面のラチェット歯車が、クラッチ部材３７に回り止めされたラチェット部材３６のラチェット爪と掛合することによって、前記繰り出し方向へのばね芯３２の回転が阻止されるので、渦巻きばね３３がばね芯３２に巻き込まれて漸次蓄勢される。また、かるこ２が糸繰り出し口１５に係止状態となるまで墨打ち糸１を完全に巻き取った状態において、チャージハンドル３５を糸巻き取り方向と同方向（図１における時計回りの方向）に回転させた場合は、リール本体３１は、かるこ２が糸繰り出し口１５に係止されていることによって前記巻き取り方向の回転を阻止されると共に、その反対方向へのチャージハンドル３５の回転も阻止されるので、渦巻きばね３３を任意に蓄勢することができる。
【００１７】
通常においてラチェット部材３６の衝合突起３６ａと衝合しているクラッチ部材３７の一方の被衝合突起３７ａは、このクラッチ部材３７を、下半ケース部材２０Ｂの下面の小孔から突出したクラッチレバー３７ｃの手動操作によりコイルスプリング３８の圧縮方向（図２における右方向）に変位させることによって、前記衝合突起３６ａから外れる。このため、ラチェット部材３６は、これに掛合しているチャージハンドル３５（ばね芯３２）と共に、渦巻きばね３３による付勢方向へ回転し、１８０°回転した時点で、クラッチ部材３７の他方の被衝合突起３７ｂと衝合して停止する。次に、コイルスプリング３８の付勢力によってクラッチ部材３７を通常位置に復帰動作させると、前記他方の被衝合突起３７ｂは衝合突起３６ａから外れるため、ラチェット部材３６は、チャージハンドル３５（ばね芯３２）と共に渦巻きばね３３による付勢方向へ再び回転し、１８０°回転した時点で衝合突起３６ａが前記一方の被衝合突起３７ａと再度掛合することにより停止する。すなわち、クラッチレバー３７ｃを介してこのようなクラッチ部材３７の動作を反復的に繰り返すことによって、ばね芯３２が渦巻きばね３３の付勢力を減少させる方向へ１８０°ずつ間欠的に回転するため、渦巻きばね３３の付勢力を任意に減少させ、あるいは完全に解除することができる。
【００１８】
糸巻きケース２０の上半ケース部材２０Ａにおける本体ケース１０側すなわち内側継手部２１の近傍位置には、リール３０の軸心とほぼ平行な管軸２６が突設されており、この管軸２６にはリールロック機構の主体であるブレーキ片３が回転自在に取り付けられている。すなわちこのブレーキ片３は、図３の要部分解斜視図にも示すように略扇形状を呈するものであって、ボス部３ａと、手指で回転操作するための上面突起部３ｂとを有し、ボス部３ａが管軸２６に差し込まれると共に、この管軸２６の内周の雌螺子穴２６ａにワッシャ２７を介してねじ込まれたボルト２８によって抜け止めされている。また、ブレーキ片３の外周カム面３ｃは、前記上半ケース部材２０Ａから露出したリール３０の巻き取りハンドル３４の外周面３４ａと接触可能であって、この外周カム面３ｃは、管軸２６の軸心からの距離が図１において管軸２６を中心とする時計回りの方向に向けて漸増する曲面状に形成されている。
【００１９】
糸巻きケース２０の上半ケース部材２０Ａにおけるブレーキ片３の取付部近傍には凹部２９が形成されており、図４に一点鎖線で示すように、巻き取りハンドル３４の外周面３４ａから離れる方向へのブレーキ片３の時計回り方向の回転角度が、この凹部２９によって規制されている。このため、ブレーキ片３の上面突起部３ｂは常に所定の範囲に位置しており、これを手指で巻き取りハンドル３４側へ押す（又は引く）ことによるブレーキ片３の回転操作を極めて容易に行うことができるようになっている。
【００２０】
糸巻きケース２０の上半ケース部材２０Ａと下半ケース部材２０Ｂを互いに組み立てる際の蝶番となる掛合突起２２，２３は、その組み合わせ形状が角すい状となっており、掛合突起２３の尖端部２３ａが、当該墨壷を本体ケース１０の糸繰り出し口１５から引き出された墨打ち糸１で吊り下げた場合の前記糸繰り出し口１５を通る鉛直線上に位置している。したがって、この墨壷は、掛合突起２３の尖端部２３ａを指示手段とする下げ振りとしても用いることができるようになっている。
【００２１】
上述の墨壷は、従来と同様に、かるこ２を墨打ちの起点に突き刺してから、墨壷を所定位置まで移動させることによって、墨打ち糸１を墨壷の移動距離分だけ繰り出し、その過程で墨汁が付着した墨打ち糸１を、墨打ち対象面に向けて指ではじいて打ち付けることによって、墨打ち作業を行う。墨打ち作業終了後は、墨打ち糸１を強引に引っ張るなどして、かるこ２を墨打ち対象面（図示省略）から引き抜くと、墨打ち糸１の繰り出しの際に蓄勢された渦巻きばね３３の付勢力によってリール本体３１が糸巻き取り方向に回転し、これによって墨打ち糸１は、かるこ２が本体ケース１０の糸繰り出し口１５に係止された状態となるまで前記リール本体３１に自動的に巻き取られる。
【００２２】
かるこ２の交換作業等のために、渦巻きばね３３の付勢力によるリール３０の巻き取り方向の回転を固定する場合は、ブレーキ片３を、図４に一点鎖線で示す位置から手指で上面突起部３ｂを押し出すことにより矢印Ｒ2 方向へ回転させ、外周カム面３ｃをリール３０の巻き取りハンドル３４の外周面３４ａに接触させるだけで良い。すなわち、リール３０は前記渦巻きばね３３によって図４の矢印Ｒ1 方向（時計回り）の回転力が付勢されているが、この回転力は、外周カム面３ｃの接触点Ｐを介してブレーキ片３に矢印Ｒ2 方向へのトルクを発生させ、前記接触点Ｐを外周カム面３ｃの小径側から大径側へ移動させるように作用する。このため、巻き取りハンドル３４の外周面３４ａに対するブレーキ片３の圧接力Ｆが増大し、しかも矢印Ｒ1 方向へのリール３０の回転力が大きいほど前記圧接力Ｆも増大するので、リール３０の回転を確実に拘束することができる。拘束を解除する場合は、手指で上面突起部３ｂを矢印Ｒ2 と逆方向に引いてブレーキ片３の外周カム面３ｃを巻き取りハンドル３４の外周面３４ａから離せば良い。
【００２３】
また、墨壷を適当な長さに引き出した墨打ち糸１で吊り下げて下げ振りとして用いる場合も、上述と同様にしてリール３０の回転を拘束する。この場合、墨壷の重量によって発生するリール３０の糸繰り出し方向（図１における反時計回り）へのトルクと、墨打ち糸１を所要の長さに引き出すことによって蓄勢された渦巻きばね３３の付勢力による糸巻き取り方向のトルクが互いに相殺されるため、巻き取りハンドル３４の外周面３４ａに対するブレーキ片３の圧接力Ｆが弱いものであってもリール３０の回転を十分に拘束することができる。
【００２４】
【発明の効果】
以上の説明のように、本発明に係る墨壷のリールロック機構によると、墨打ち糸の先端のかるこを交換したり、当該墨壷を下げ振りとして用いる場合等には、ブレーキ片の外周カム面をリールの一側外周面に接触させるだけで、リールの回転を確実に拘束することができ、しかもそのためのブレーキ片の回転操作を墨壷を持つ片手だけでも容易・迅速に行うことができる。
【図面の簡単な説明】
【図１】本発明に係るリールロック機構の好ましい一実施形態を墨壷全体と共に示す平面図である。
【図２】図１のII−II’線に沿って切断した断面図である。
【図３】上記実施形態における要部分解斜視図である。
【図４】上記実施形態の作用を示す説明図である。
【図５】従来の墨壷の使用状態を示す概略的な断面図である。
【符号の説明】
１  墨打ち糸
２  かるこ
３  ブレーキ片
３ｃ  外周カム面
１０  本体ケース
１２  スポンジ（墨汁浸透部材）
２０  糸巻きケース
２６  管軸（軸）
３０  リール
３３  渦巻きばね
３４ａ  外周面（一側外周面）
【図１】
0003836914.tif 000002
【図２】
0003836914.tif 000003
【図３】
0003836914.tif 000004
【図４】
0003836914.tif 000005
【図５】
0003836914.tif 000006